(57)【要約】【課題】原稿読取装置で原稿の上下の向きを誤って読み取ってしまっても、簡単な操作で、原稿の上下の向きを反転させることができる。【解決手段】原稿読取装置１は各部を制御するＣＰＵ２を備えている。ＣＰＵ２には給送部３、読取部４、上下反転部５、表示／操作部６、出力部７、記憶部８、印刷部９、送受信部１０が接続されている。表示／操作部６は表示画面上を操作できるタッチパネル等により構成され、サムネイル表示部６ａと該サムネイル表示部６ａで表示されたページ単位のサムネイル画像を指定するページ指定手段６ｂを有している。ページ指定手段６ｂによるページ指定は、サムネイル画像が表示されているサムネイル表示部６ａの該当ページをそのままタッチする。【選択図】      図２
2005006209.tif 000002
【特許請求の範囲】
【請求項１】
原稿を読み取る読取部と、該読取部で読み取った画像データをページ単位でサムネイル表示するサムネイル表示部と、該サムネイル表示部にページ単位で表示された画像データを指定できるページ指定手段と、該ページ指定手段により指定したページについて上下反転させる上下反転部とを有することを特徴とする原稿読取装置。
【請求項２】
原稿を読み取る読取部と、該読取部で読み取った画像データをページ単位でサムネイル表示するサムネイル表示部と、該サムネイル表示部にページ単位で表示された画像データを指定できるページ指定手段と、該ページ指定手段により指定しなかったページについて上下反転させる上下反転部とを有することを特徴とする原稿読取装置。
【発明の詳細な説明】
【０００１】
【発明の属する技術分野】
本発明は、原稿を読み取って画像データを出力するスキャナや、複写機、ファクシミリ装置、デジタル複合機等に搭載された原稿読取装置に関する。
【０００２】
【従来の技術】
従来の原稿読取装置は光学式読み取りにより原稿を読み取り、読み取った画像データを出力して印刷したり、あるいは送信手段を用いてファクシミリ送信を行ったり、ネットワークを通じてパソコンへ送信したりしている。
【０００３】
このような従来の原稿読取装置では、読み取った画像データの上下の向きはそのまま出力される。例えば複数枚の原稿を読み取る場合、その中の１枚が上下反転している場合でもそのまま出力していた。したがって、非常に見づらいものであった。
【０００４】
このような問題を解決するため、特許文献１では、予め原稿に原稿の上下を示す印を付加し、自動的に原稿の上下を判定して、正しい向きで原稿を送信できるファクシミリ送信機が開示されている。
【０００５】
【特許文献１】
特開平５−３２８０９５号公報
【０００６】
【発明が解決しようとする課題】
しかしながら、上記特許文献１に記載の技術では、予め原稿に印を負荷する必要があるので非常に煩わしい作業を伴うこととなる。特に原稿が多数枚に及ぶ場合にはそれが顕著となる。
【０００７】
本発明は、原稿読取装置で原稿の上下の向きを誤って読み取ってしまっても、煩雑な作業を伴わず、簡単に原稿の上下の向きを反転させることができる原稿読取装置を提供することを目的とする。
【０００８】
【課題を解決するための手段】
上記目的を達成するために請求項１に記載の発明は、原稿を読み取る読取部と、該読取部で読み取った画像データをページ単位でサムネイル表示するサムネイル表示部と、該サムネイル表示部にページ単位で表示された画像データを指定できるページ指定手段と、該ページ指定手段により指定したページについて上下反転させる上下反転部とを有することを特徴とする原稿読取装置である。
【０００９】
この発明によれば、読取部で読み取った画像データをページ単位でサムネイル表示するサムネイル表示部を有しているので、どのページが誤って上下逆向きに読み取ったかが一目でわかる。しかも、該サムネイル表示部にページ単位で表示された画像データをページ単位で指定できるページ指定手段と、該ページ指定手段により指定したページについて上下反転させる上下反転部とを有しているので、簡単な操作でページ単位毎に上下反転させることができる。
【００１０】
また請求項２に記載の発明は、原稿を読み取る読取部と、該読取部で読み取った画像データをページ単位でサムネイル表示するサムネイル表示部と、該サムネイル表示部にページ単位で表示された画像データを指定できるページ指定手段と、該ページ指定手段により指定しなかったページについて上下反転させる上下反転部とを有することを特徴とする原稿読取装置である。
【００１１】
この発明によれば、読取部で読み取った画像データをページ単位でサムネイル表示するサムネイル表示部を有しているので、どのページが誤って上下逆向きに読み取ったかが一目でわかる。しかも、該サムネイル表示部にページ単位で表示された画像データをページ単位で指定できるページ指定手段と、該ページ指定手段により指定しなかったページについて上下反転させる上下反転部とを有しているので、簡単な操作でページ単位毎に上下反転させることができる。特に、本発明は、ページ指定手段で指定したページは上下反転せず、指定しなかったページが上下反転するので、全ページに対する上下反転させるページの割合が多い場合には、操作が簡単なものとなる。
【００１２】
【発明の実施の形態】
以下に本発明の実施形態について図面を参照して説明する。図１は一実施形態の原稿読取装置の構成を示すブロック図である。原稿読取装置１は各部を制御するＣＰＵ２を備えている。ＣＰＵ２には給送部３、読取部４、上下反転部５、表示／操作部６、出力部７、記憶部８、印刷部９、送受信部１０が接続されている。
【００１３】
給送部３は原稿トレイ等に載置された原稿を１枚ずつ給送する。読取部４は光を原稿に向かって出射する光源、反射光を受光して電気信号に変換するＣＣＤ等の受光素子を有している。
【００１４】
これにより、給送部３により給送される原稿に光を照射し、反射光の輝度を捉えて画素毎の輝度信号により画像データを作成して出力する。尚、本実施形態の読取部４は上記のように所謂自動原稿供給装置を備えたものであるが、必ずしも自動原稿供給装置を備えていなくてもかまわない。この場合、ユーザーが１枚ずつコンタクトガラス上に原稿を載置して、原稿を読み取ることとなる。
【００１５】
上記読取部４で読み取られた画像データは記憶部８に記憶される。
【００１６】
上下反転部５は記憶部８から読み出された画像データについて、アドレス操作によりページメモリ（図示せず）へ１８０度回転させて展開させることができる。したがって、上下反転する必要のあるページは、記憶部８から読み出されて、上記ページメモリへ１８０度回転させて展開ことにより、そのページは上下反転されることとなる。上下反転されたページは、再度記憶部８に記憶させたり、後述する出力部７、印刷部９、送受信部１０へ出力されることとなる。
【００１７】
表示／操作部６は表示画面上を操作できるタッチパネル等により構成される。表示／操作部６は、読取部４で読み取った画像データをページ単位でサムネイル表示を行うサムネイル表示部６ａと、該サムネイル表示部６ａで表示されたページ単位のサムネイル画像を指定するページ指定手段６ｂを有している。本実施形態の表示／操作部６は、表示画面上を操作できるタッチパネルで構成されているので、ページ指定手段６ｂによるページ指定は、サムネイル画像が表示されているサムネイル表示部６ａの該当ページをそのままタッチすることとなる。また、タッチパネルではない場合には、専用のキー等によりページ指定手段を構成してもよい。
【００１８】
出力部７は、記憶部８から読み出された画像データについて、ネットワーク等を介してパソコンへ送信するためのものである。印刷部９は、記憶部８から読み出された画像データについて、用紙に印刷するためのものである。送受信部１０は、記憶部８から読み出された画像データについて、ファクシミリ送信を行ったり、あるいはファクシミリ送信されてきた画像データを受信するためのものである。
【００１９】
次に、図２を参照して、本実施形態の操作例について説明する。図２は、７枚の原稿を給送部３にセットし読取部４にて読み取った場合のサムネイル表示部の表示例を示した図である。ここで、３枚目の原稿が上下逆にセットされていたため、サムネイル表示部６ａには３ページ目だけが上下逆にサムネイル表示されている（図２（ａ）参照）。
【００２０】
ここで、３ページ目のところをタッチするとその部分が反転表示される（図２（ｂ）参照）。次に、このページだけを上下反転させるため、指定ページのみ上下反転キー６ｃをタッチし、ＯＫキー６ｅをタッチする（図２（ｃ）参照）。すると、３ページ目は上下反転（図２（ｄ）参照）し、１ページ目から順に印刷されていき、３ページ目のみが上下反転して印刷され、７頁目まで印刷されることとなる。
【００２１】
また、例えば３ページ目以外のページについて上下反転させたい場合には、１，２，４，５，６，７ページのそれぞれの部分をタッチしこれらのページを反転させ、指定ページのみ上下反転キー６ｃをタッチし、ＯＫキー６ｅをタッチしてもよいが、３ページ目の部分をタッチしてこのページを反転させた後、指定ページ以外上下反転キー６ｄをタッチしてＯＫキー６ｅをタッチしてもかまわない。すると、１ページ目から順次印刷されるが、３ページ目以外は上下反転して印刷されることとなる。全ページに対し上下反転させるページの割合が多い場合には、指定ページ以外上下反転キー６ｄを用いると便利である。
【００２２】
このように、サムネイル表示部６ａからの指示により、記憶部８から読み出された画像データは、上下反転しないページについては、図示しないページメモリに展開された後、印刷部９に送られて印刷され、上下反転するページについては上下反転部５によるアドレス操作によりページメモリに１８０度回転して展開された後印刷部９に送られて印刷されることとなる。尚、これらの画像データは、印刷部９以外にも必要に応じ出力部７、送受信部１０に送ることができる。また、本実施形態では、読取部４で読み取った画像データは、記憶部８に記憶されるようになっているが、読み取った画像データについてサムネイル表示しない場合には、必ずしも記憶部８に記憶させるようにしなくてもよい。
【００２３】
【発明の効果】
この発明によれば、読取部で読み取った画像データをページ単位でサムネイル表示するサムネイル表示部を有しているので、どのページが誤って上下逆向きに読み取ったかが一目でわかる。しかも、該サムネイル表示部にページ単位で表示された画像データをページ単位で指定できるページ指定手段と、該ページ指定手段により指定したページについて上下反転させる上下反転部とを有しているので、簡単な操作でページ単位毎に上下反転させることができる。
【００２４】
この発明によれば、読取部で読み取った画像データをページ単位でサムネイル表示するサムネイル表示部を有しているので、どのページが誤って上下逆向きに読み取ったかが一目でわかる。しかも、該サムネイル表示部にページ単位で表示された画像データをページ単位で指定できるページ指定手段と、該ページ指定手段により指定しなかったページについて上下反転させる上下反転部とを有しているので、簡単な操作でページ単位毎に上下反転させることができる。特に、本発明は、ページ指定手段で指定したページは上下反転せず、指定しなかったページが上下反転するので、全ページに対する上下反転させるページの割合が多い場合には、操作が簡単なものとなる。
【図面の簡単な説明】
【図１】は、本発明の一実施形態を示すブロック図である。
【図２】は、サムネイル表示部の表示例を示す図である。
【符号の説明】
１    原稿読取装置
２    ＣＰＵ
３    給送部
４    読取部
５    上下反転部
６    表示／操作部
６ａ  サムネイル表示部
６ｂ  ページ指定手段
７    出力部
８    記憶部
９    印刷部
１０  送受信部
【図１】
2005006209.tif 000003
【図２】
2005006209.tif 000004